(57)【要約】【課題】  従来のデッキブラシの場合、ベランダ等防水処理床及び玄関タイル面の清掃に用いる際、ブラシ毛として植物の剛繊維やプラスチック材のものは、磨耗が激しく、スチールワイヤからなるデッキブラシであると床面、タイルを傷つけてしまう恐れがあり、剛繊維やプラスチック材、スチールワイヤのどちらも問題点がある。【解決手段】  デッキブラシにおいて、ブラシ本体１はスチールタワシ２を串差し状に支持する固定側ホルダー３と着脱側ホルダー５からなり、固定側ホルダー３に柄４を固設し、固定側ホルダー３と着脱側ホルダー５にピン６を植設し、固定側ホルダー３のピン６にスチールタワシ２を挿し込み、さらに着脱側ホルダー５のピン６を差し込み、固定側ホルダー３に連結固定することでスチールタワシ２を前記固定側ホルダー３のピン６と着脱側ホルダー５のピン６で挟持固定するスチールタワシを有するデッキブラシを使用することで上記問題は解決する。【選択図】図２
2005211222.tif 000002
【特許請求の範囲】
【請求項１】
デッキブラシにおいて、ブラシ本体はスチールタワシを串差し状に支持する固定側ホルダーと着脱側ホルダーからなり、固定側ホルダーに柄を固設し、固定側ホルダーと着脱側ホルダーにピンを植設し、固定側ホルダーのピンにスチールタワシを挿し込み、さらに着脱側ホルダーのピンを差し込み、固定側ホルダーに連結固定することでスチールタワシを前記固定側ホルダーのピンと着脱側ホルダーのピンで挟持固定したことを特徴とするスチールタワシを有するデッキブラシ。
【請求項２】
固定側ホルダーのピンと着脱側ホルダーのピンの植設位置を、上下または左右、上下及び左右の位置をずらして植設したことを特徴とする請求項１に記載のスチールタワシを有するデッキブラシ。
【請求項３】
柄を着脱自在にしたことを特徴とする請求項１または請求項２に記載のスチールタワシを有するデッキブラシ。
【発明の詳細な説明】
【技術分野】
【０００１】
本発明は、スチールタワシを交換自在に挿着できるようにした、ベランダ等防水処理床、玄関タイル面の清掃に用いるスチールタワシを有するデッキブラシに関するものである。
【背景技術】
【０００２】
従来からブラシ本体と、ブラシ本体のブラシ台を抱持状に支持するホルダーと、ホルダーに連結固定される柄とを備えており、ホルダーは、少なくとも一側方に装着口が開口してある断面コ字形の主枠部と、主枠部の上壁に固定したねじ筒と、主枠部の前後壁の突端縁に連続して内向きに突設した一対の爪部とを有し、ブラシ本体は、そのブラシ台が装着口を介してホルダーにスライド装填されて、一対の爪部で受け止め支持されており、柄の基端に設けたねじ軸を、ホルダーのねじ筒にねじ込んで、柄がホルダーに連結固定されており、ねじ軸の端部をブラシ台の上面に押し付けて、ブラシ台がホルダーの爪部とねじ軸とで遊動不能に挟持固定してあるブラシ交換型のデッキブラシ（特許文献１参照）が存在している。
【特許文献１】登録実用新案第３０３５１９１号公報（実用新案登録請求の範囲、考案の詳細な説明の欄における段落｛０００９｝〜｛００２１｝、図１）
【発明の開示】
【発明が解決しようとする課題】
【０００３】
しかしながら、前記従来技術である登録実用新案第３０３５１９１号公報に示されたものは、ブラシ本体が柄に対して着脱自在にしたブラシ交換型のデッキブラシで、ブラシ毛としては植物の剛繊維やプラスチック材等が考えられていた。この柄付のブラシ交換型のデッキブラシは、ブラシ本体とブラシ台に固定した柄で構成され、ブラシ毛が消耗すると全体が廃棄されていたのを、消耗したブラシ本体のみを廃棄し、柄を再使用することによって資材コストが減少するようにしたものである。またはスチールワイヤからなるデッキブラシがある。しかし、この従来のデッキブラシの場合、ベランダ等防水処理床及び玄関タイル面の清掃に用いる際、ブラシ毛として植物の剛繊維やプラスチック材のものは、磨耗が激しく、スチールワイヤからなるデッキブラシであると床面、タイルを傷つけてしまう恐れがあり、剛繊維やプラスチック材、スチールワイヤのどちらにも問題点がある。
本発明に係るスチールタワシを有するデッキブラシは、スチールタワシを固定側ホルダーと着脱側ホルダーに植設したピンで串差し状に固定支持し、スチールタワシがへたって少しずつ落下した際、補給するよう少しずつ追加して補充するとか、スチールタワシ全体を固定側ホルダーと着脱側ホルダーを分解して交換するように構成されたもので、スチールワイヤで形成されたデッキブラシのベランダ等の防水処理をしてある床及び玄関タイルの表面に傷を付けることがなく、スチールタワシの特徴を最大限に活用でき、しかも取換えが極めて簡単に行えるものである。
【課題を解決するための手段】
【０００４】
上記課題を解決するための本発明の第１発明は、請求項１に記載された通りのスチールタワシを有するデッキブラシであり、次のようなものである。
デッキブラシにおいて、ブラシ本体はスチールタワシを串差し状に支持する固定側ホルダーと着脱側ホルダーからなり、固定側ホルダーに柄を固設し、固定側ホルダーと着脱側ホルダーにピンを植設し、固定側ホルダーのピンにスチールタワシを挿し込み、さらに着脱側ホルダーのピンを差し込み、固定側ホルダーに連結固定することでスチールタワシを前記固定側ホルダーのピンと着脱側ホルダーのピンで挟持固定する構成である。
【０００５】
上記課題を解決するための本発明の第２発明は、請求項２に記載された通りのスチールタワシを有するデッキブラシであり、次のようなものである。
請求項１記載の発明に加えて、固定側ホルダーのピンと着脱側ホルダーのピンの植設位置を、上下または左右、上下及び左右の位置をずらして植設する構成である。
【０００６】
上記課題を解決するための本発明の第３発明は、請求項３に記載された通りのスチールタワシを有するデッキブラシであり、次のようなものである。
請求項１、または請求項２記載の発明に加えて、柄を着脱自在にする構成である。
【発明の効果】
【０００７】
本発明に係るスチールタワシを有するデッキブラシは、上記説明のような構成であるので、以下に記載する効果を奏する。
（１）従来のデッキブラシにおけるブラシ毛である植物の剛繊維や、プラスチック材、またはスチールワイヤ等に換えてスチールタワシを採用したことにより、ベランダ、玄関回り、路面等、汚れの複雑な清掃に極めて適格に対応することができるものであって、なおかつスチールタワシがほぐれてぼろぼろと落下してしまうが、簡単に新しいスチールタワシに交換することができ、しかも少しずつ追加補充することも可能な交換自在なスチールタワシのデッキブラシである。
（２）従来のスチールワイヤによるデッキブラシに比べて、ブラシ毛として市販されているスチールタワシを使用し、水、洗剤等を併用して清掃できるので、ベランダ等の防水処理をしてある床や玄関タイルの表面を傷つけず清掃することができる。
（３）柄とブラシ本体とが着脱自在に形成されているので、軽く、コンパクトなので持ち運びが楽であり、誰でも簡易に使用でき、ブラシ本体を柄と分離してブラシ本体を普通のブラシとして使用できる。
【発明を実施するための最良の形態】
【０００８】
固定側ホルダーと着脱側ホルダーの両者に複数のピンを植設し、このピンは固定側ホルダーと着脱側ホルダー間において、左右上下方向に若干ずらすように植設して、この固定側ホルダーに植設されたピンにスチールタワシを串差し状に支持し、他方の着脱側ホルダーを固定側ホルダーに対向させて、着脱側ホルダーのピンをスチールタワシに差し込むように押圧してスチールタワシを、固定側ホルダー、着脱側ホルダー間でピンにより支持するようにしたスチールタワシを有するデッキブラシ。
【実施例１】
【０００９】
以下、本発明の実施例を図面を用いて詳細に説明する。
図１は、本発明に係るスチールタワシを有するデッキブラシの第一実施例を示す平面図、図２は同スチールタワシを有するデッキブラシの第一実施例を示す分解斜視図、図３は、スチールタワシを支持するためのピンの配列状態を示す一実施例の平面図である。
【００１０】
以下、図１〜図３に基づいて、スチールタワシを有するデッキブラシの第一実施例について具体的に詳細を説明する。
先ず、スチールタワシ２を有するデッキブラシについて説明すると、ブラシ本体１は、固定側ホルダー３と着脱側ホルダー５間にスチールタワシ２を串差し状に支持固定してデッキブラシを形成するものである。
固定側ホルダー３には、図１の実線で示したように先端を若干上方に向くようにピン６を複数本植設する。尚、ピン６は水平や、仮想線で示したように実線より更に上方に傾斜させたり、下方に傾斜させたりすることができる。
【００１１】
着脱側ホルダー５には、図１の実線で示したように固定側ホルダー３と同様にピン６を先端が若干上方に向くように複数本植設する。尚、ピン６は固定側ホルダー３と同様に水平や、仮想線で示したように実線より更に上方に傾斜させたり、下方に傾斜させる等選択することができる。但し、総合的に見ると実線のように、若干上方に向くように複数本植設するのが良いことはいうまでもない。
【００１２】
また、固定側ホルダー３は逆Ｌ字型で上面板７は平板で一端部に着脱側ホルダー５を固定するための固定孔８が穿設され、この固定孔８に対応できるように、着脱側ホルダー５にはネジ孔を穿設してあり、蝶ボルト１０等で固定する。さらに、前記上面板７の略中央に着脱自在（着脱機構は種々の公知技術を採用する）に柄４を取り付けてある。また、スチールタワシ２が落下しにくいように、固定側ホルダー３と着脱側ホルダー５は下面は幅広で、上方に行くに従って幅狭になるように図１、図２に示すように傾斜している。床面等を清掃する場合、ブラシ本体の空隙部が上に行くに従って広くなっているので、スチールタワシ２は広い方に逃げるようになるので、スチールタワシ２の落下をより防止できる。
【００１３】
また、固定側ホルダー３と着脱側ホルダー５に植設したピン６について説明すると、固定側ホルダー３のピン６と着脱側ホルダー５のピン６は高さ方向、前後方向も含めて対向するように植設しても良いし、ピン６の長さを長くして固定側ホルダー３と着脱側ホルダー５を組み付けた際、重ならないように上下左右に両ホルダー３、５でずらすようにすることで、より良好に支持できるものである（前後方向にずらした例として図３を参照）。
【００１４】
また、以上のように固定側ホルダー３と着脱側ホルダー５は有実無垢であるが、図４に示す第二実施例は、くり抜いて空洞１１にしてある。
その他はこの第二実施例は、前記第一実施例と同一なので詳細な説明は省略する。
【００１５】
次に、第三実施例として、図５、図６に基づいて説明する。
この第三実施例は、ブラシ台１２の下面にネット状の覆い１３でスチールタワシ２を覆うようにして、周囲を適宜の固定手段でブラシ台１２に固定するものである。なお、スチールタワシ２はネット状の覆い１３にからめながら包み込むように覆うことによりスチールタワシ２を支持固定するものである。
【産業上の利用可能性】
【００１６】
各種タイルを貼付した床面、壁面、あるいは一般道路の清掃等、傷をつけることない極めて良好な清掃が可能で、各種清掃用として利用することができる。
【図面の簡単な説明】
【００１７】
【図１】本発明に係るスチールタワシを有するデッキブラシの第一実施例を示す概略正面図である。
【図２】図１のスチールタワシを有するデッキブラシを示す分解斜視図である。
【図３】図１のＡ−Ａ矢視における、スチールタワシを有するデッキブラシの固定側ホルダーと着脱側ホルダーに植設したスチールタワシの支持用のピンの配列状態を示す一例の平面図である。
【図４】スチールタワシを有するデッキブラシの第二実施例を示す一部を断面にした正断面図である。
【図５】スチールタワシを有するデッキブラシの第三実施例を示す正面図である。
【図６】上記第三実施例のスチールタワシの支持手段を示す平面図である。
【符号の説明】
【００１８】
１・・・・ブラシ本体                        ２・・・・スチールタワシ
３・・・・固定側ホルダー                    ４・・・・柄
５・・・・着脱側ホルダー                    ６・・・・ピン
７・・・・上板面                            ８・・・・固定孔
９・・・・下面                            １０・・・・蝶ボルト
１１・・・・空洞                            １２・・・・ブラシ台
１３・・・・ネット状の覆い
【図１】
2005211222.tif 000003
【図２】
2005211222.tif 000004
【図３】
2005211222.tif 000005
【図４】
2005211222.tif 000006
【図５】
2005211222.tif 000007
【図６】
2005211222.tif 000008